(57)【特許請求の範囲】
【請求項１】
酸化セリウム（ＣｅＯ2）または酸化セリウムを含む複合酸化物から構成される担体に担持された７ｎｍ以下のサイズの金ナノ粒子を含む、アリルアルコールから３−ヒドロキシプロピオン酸（３−ｈｙｄｒｏｘｙｐｒｏｐｉｏｎｉｃ  ａｃｉｄ：３−ＨＰＡ）を製造するための不均一系触媒。
【請求項２】
前記金ナノ粒子のサイズは、４ｎｍ以下である、請求項１に記載の不均一系触媒。
【請求項３】
前記金ナノ粒子は、前記担体の総乾燥重量に対して５重量％以下で含まれる、請求項１または２に記載の不均一系触媒。
【請求項４】
ａ）請求項１の不均一系触媒を塩基性溶液及びアリルアルコールの混合溶液に投入するステップと、
ｂ）前記ステップａ）の混合溶液を、酸素分圧が絶対圧力を基準として１〜５０ｂａｒで、かつ、温度が３０〜１００℃である状態にした反応器中で１〜３０時間反応させて、３−ヒドロキシプロピオン酸（３−ＨＰＡ）を含む液相反応生成物を得るステップと、
ｃ）前記製造された液相反応生成物から３−ヒドロキシプロピオン酸（３−ＨＰＡ）を分離するステップと、
を含む、アリルアルコールから３−ヒドロキシプロピオン酸（３−ＨＰＡ）を製造する方法。
【請求項５】
前記ステップａ）の不均一系触媒は、金前駆体（塩化合物）から金ナノ粒子を合成するステップと、前記合成された金ナノ粒子を担体に担持させるステップにより製造された、請求項４に記載のアリルアルコールから３−ヒドロキシプロピオン酸（３−ＨＰＡ）を製造する方法。
【請求項６】
前記ステップａ）の不均一系触媒は、回分式反応工程が行われる場合、前記塩基性溶液及びアリルアルコールの混合溶液の１００重量部に対して０．１〜１０．０重量部で用いられる、請求項４に記載のアリルアルコールから３−ヒドロキシプロピオン酸（３−ＨＰＡ）を製造する方法。
【請求項７】
前記ステップａ）の不均一系触媒は、連続式反応工程である場合、触媒の体積により除算した前記塩基性溶液及びアリルアルコールの混合溶液の体積流量の比で表現される空間速度（ｓｐａｃｅ  ｖｅｌｏｃｉｔｙ）が０．１〜２０ｈ-1の範囲である、請求項４に記載のアリルアルコールから３−ヒドロキシプロピオン酸（３−ＨＰＡ）を製造する方法。
【請求項８】
前記ステップａ）の不均一系触媒は、担体に担持された４ｎｍ以下のサイズの金ナノ粒子を含む、請求項４〜７のいずれか一項に記載のアリルアルコールから３−ヒドロキシプロピオン酸（３−ＨＰＡ）を製造する方法。
【請求項９】
前記ステップａ）の金ナノ粒子は、前記担体の総乾燥重量に対して５重量％以下で含まれる、請求項４〜８のいずれか一項に記載のアリルアルコールから３−ヒドロキシプロピオン酸（３−ＨＰＡ）を製造する方法。
【請求項１０】
前記液相反応生成物は、３−ヒドロキシプロピオン酸（３−ＨＰＡ）のみ、または、アクリル酸及びグリセリン酸を含む群より選ばれた１種以上と３−ヒドロキシプロピオン酸（３−ＨＰＡ）との組み合わせを含む、請求項４〜９のいずれか一項に記載のアリルアルコールから３−ヒドロキシプロピオン酸（３−ＨＰＡ）を製造する方法。
【請求項１１】
前記ステップａ）で投入される塩基性溶液は、アルカリ金属またはアルカリ土類金属を含む塩基性化合物の水溶液である、請求項４〜１０のいずれか一項に記載のアリルアルコールから３−ヒドロキシプロピオン酸（３−ＨＰＡ）を製造する方法。
【請求項１２】
前記塩基性化合物は、水酸化ナトリウム、水酸化リチウム、水酸化カリウム、及び水酸化カルシウムからなる群より選ばれる１つ以上を含む、請求項１１に記載のアリルアルコールから３−ヒドロキシプロピオン酸（３−ＨＰＡ）を製造する方法。
【請求項１３】
前記塩基性溶液に含まれる塩基性化合物は、アリルアルコール１モルを基準として０．０１〜１０モル比で用いられる、請求項１１または１２に記載のアリルアルコールから３−ヒドロキシプロピオン酸（３−ＨＰＡ）を製造する方法。
【請求項１４】
前記製造された３−ヒドロキシプロピオン酸（３−ＨＰＡ）の収率が２５％以上である、請求項４〜１３のいずれか一項に記載のアリルアルコールから３−ヒドロキシプロピオン酸（３−ＨＰＡ）を製造する方法。
【請求項１５】
前記製造された３−ヒドロキシプロピオン酸（３−ＨＰＡ）の収率が４０％以上である、請求項４〜１４のいずれか一項に記載のアリルアルコールから３−ヒドロキシプロピオン酸（３−ＨＰＡ）を製造する方法。
【請求項１６】
前記アリルアルコールの転換率（Ａｌｌｙｌ  Ａｌｃｏｈｏｌ  ｃｏｎｖｅｒｓｉｏｎ）が７０％以上である、請求項４〜１５のいずれか一項に記載のアリルアルコールから３−ヒドロキシプロピオン酸（３−ＨＰＡ）を製造する方法。
【請求項１７】
前記反応器は、回分式反応器、半回分式反応器、連続攪拌タンク反応器（ＣＳＴＲ）、プラグフロー反応器（ＰＦＲ）、及び流動層反応器からなる群より選ばれた１種以上である、請求項４に記載のアリルアルコールから３−ヒドロキシプロピオン酸（３−ＨＰＡ）を製造する方法。
【発明の詳細な説明】
【技術分野】
【０００１】
本発明は、アリルアルコールから３−ヒドロキシプロピオン酸（３−ｈｙｄｒｏｘｙｐｒｏｐｉｏｎｉｃ  ａｃｉｄ：以下、３−ＨＰＡ）を製造するための不均一系触媒、これを用いたアリルアルコールから３−ヒドロキシプロピオン酸を製造する方法に関し、より詳細には、酸化セリウム（ＣｅＯ2）または酸化セリウムを含む複合酸化物である担体に金が担持された不均一系触媒の存在下で液相反応を行うことでアリルアルコールから３−ヒドロキシプロピオン酸を高収率で製造する方法に関する。
【背景技術】
【０００２】
アクリル酸は、カルボン酸とビニル基を含む最も簡単な不飽和カルボン酸で、自体重量の５百倍〜１千倍程度の水分を吸水可能な機能を有する合成高分子物質である高吸水性樹脂（Ｓｕｐｅｒ  Ａｂｓｏｒｂｅｎｔ  Ｐｏｌｙｍｅｒ、ＳＡＰ）の主原料である。高吸水性樹脂は、生理用具として実用化されはじめ、現在は、子供用紙おむつなどの衛生用品のほか、園芸用土壌保水剤、土木・建築用止水材、育苗用シート、食品流通分野での鮮度保持剤、及び湿布用などの材料として広く使用されている。したがって、従来の吸水材と比較して優れた吸水能力を有することと知られている高吸水性樹脂（Ｓｕｐｅｒ  Ａｂｓｏｒｂｅｎｔ  Ｐｏｌｙｍｅｒ、ＳＡＰ）は、その活用範囲がますます広くなっており、市場価値が高いとされ、その原料として使用されるアクリル酸も重要な市場価値を有する。そのほか、アクリル酸は、アクリル繊維、塗料、粘接着剤、コーティング剤など、３０００種余りの様々な用途において、核心原料として使用されている。
【０００３】
現在、アクリル酸を生産する方法には、化石燃料から得られるプロピレンからアクロレインを経てアクリル酸を生産する工程が一般的である。一方、石油波動以後、石油資源の枯渇に対する懸念が台頭し、これにより、石油でない自然資源から燃料及び多様な化学原料物質を確保することが重要となっている。これは、石油資源の枯渇に対する備えだけでなく、石油資源の価格変動と独立的に産業基盤物質を安定に確保する側面においても重要である。
【０００４】
一方、環境負荷の問題が台頭しつつ、バイオマス転換技術が、多様なバイオ基盤の原料物質を使用できる長所があり、脚光を浴びている。その中で、バイオマス基盤のアクリル酸の新たな工程に対する開発需要が増加しており、多様な反応経路が存在するが、グリセロール−アリルアルコール−３ＨＰＡ−アクリル酸経路がそのうちの１つである。
【０００５】
植物油からバイオディーゼルを生産する過程でグリセロールが副産物として生成されるが、グリセロール由来のアリルアルコールからアクリル酸を生産する場合、化石燃料を使用せずに環境に優しいバイオマスからアクリル酸を生産できるという長所がある。グリセロールをギ酸と反応させる場合、別に触媒がなくても高収率でアリルアルコールが得られる方法が、ＷＯ２００８／０９２１１５Ａ１に記載されている。したがって、アリルアルコールからアクリル酸を製造する場合、バイオディーゼルの副産物であるグリセロールの有効利用を可能にしてバイオディーゼルの効率性を高めることができ、グリセロールからアクリル酸を効果的に生産することができるものと期待される。
【０００６】
しかし、現在、グリセロールからアリルアルコールを生成する方法、３−ＨＰＡからアクリル酸を生成する方法に対する研究結果は多く確立されているが、アリルアルコールから３−ＨＰＡを生成する方法は、研究が微弱な状態である。したがって、アリルアルコールから３−ＨＰＡを生成する方法を確立するならば、グリセロールからアクリル酸を生成する反応経路が完成し得るので、新しい触媒工程に対する開発が必要である。
【０００７】
したがって、特殊な合成条件を利用することでアリルアルコールから３−ヒドロキシプロピオン酸を高収率で製造する方法に対する研究が必要な実情である。
【先行技術文献】
【特許文献】
【０００８】
【特許文献１】ＷＯ２００８／０９２１１５Ａ１
【非特許文献】
【０００９】
【非特許文献１】Ｇｒｅｅｎ  Ｃｈｅｍ．２０１１、１３、１６２４−１６３２
【非特許文献２】ＣｈｅｍＳｕｓＣｈｅｍ、２００９、２、５７−５８
【非特許文献３】Ｓｃｉｅｎｃｅ３０１、２００３、９３５−９３８
【発明の概要】
【発明が解決しようとする課題】
【００１０】
本発明は、上記の従来技術の問題を解決するために案出されたものであって、酸化セリウム（ＣｅＯ2）または酸化セリウムを含む複合酸化物である担体に金が担持された不均一系触媒の存在下で液相反応を行うことでアリルアルコールから３−ヒドロキシプロピオン酸（３−ＨＰＡ）を高収率で製造する方法を提供することを目的とする。
【課題を解決するための手段】
【００１１】
上記の目的を達成するために、本発明は、
酸化セリウム（ＣｅＯ２）または酸化セリウムを含む複合酸化物から構成される担体に担持された７ｎｍ以下のサイズの金ナノ粒子を含む、アリルアルコールから３−ヒドロキシプロピオン酸（３−ｈｙｄｒｏｘｙｐｒｏｐｉｏｎｉｃ  ａｃｉｄ：３−ＨＰＡ）を製造するための不均一系触媒 を提供する。
【００１２】
また、本発明は、
ａ）酸化セリウム（ＣｅＯ2）または酸化セリウムを含む複合酸化物である担体に７ｎｍ以下のサイズの金ナノ粒子が担持された不均一系触媒を塩基性溶液及びアリルアルコールの混合溶液に投入するステップと、
ｂ）前記ステップａ）の混合溶液を、酸素分圧が絶対圧力を基準として１〜５０ｂａｒで、かつ、温度が３０〜１００℃である状態にした反応器中で１〜３０時間反応させて、３−ヒドロキシプロピオン酸（３−ＨＰＡ）を含む液相反応生成物を得るステップと、
ｃ）前記製造された液相反応生成物から３−ヒドロキシプロピオン酸（３−ＨＰＡ）を分離するステップとを含む、アリルアルコールから３−ヒドロキシプロピオン酸（３−ＨＰＡ）を製造する方法を提供する。
【発明の効果】
【００１３】
本発明によれば、不均一系触媒を用いて液相反応によりアリルアルコールから３−ヒドロキシプロピオン酸（３−ＨＰＡ）を高収率（２０〜８０％）で生産することができ、この場合、アリルアルコールの転換率は７０％以上であり、０〜３０％のアクリル酸が同時に製造され得る。また、本発明の不均一系触媒を含むアリルアルコールの酸化反応を通じて周知のグリセロールからアリルアルコールを生成する方法、３−ＨＰＡからアクリル酸を生成する方法に対する研究結果に基づいて、本発明のアリルアルコールから３−ＨＰＡを生成する方法を利用することでバイオマス基盤のグリセロール−アリルアルコール−３ＨＰＡ−アクリル酸の反応経路を完成することができる。したがって、最終生成物であるアクリル酸を商業的規模で製造することが可能で、アクリル酸製造の生産性を従来の方法に比べてはるかに向上させることができる。
【００１４】
また、従来の化石燃料から得られるプロピレンからアクロレインを経てアクリル酸を生産する工程よりも、グリセロール由来のアリルアルコールから３−ヒドロキシプロピオン酸（３−ＨＰＡ）を生産する場合、化石燃料を使用せずに環境に優しいバイオマスから３−ヒドロキシプロピオン酸（３−ＨＰＡ）を生産できるという長所がある。したがって、アリルアルコールから３−ヒドロキシプロピオン酸（３−ＨＰＡ）を製造する場合、バイオディーゼルの副産物であるグリセロールの有効利用を可能にしてバイオディーゼルの効率性を高めることができ、グリセロールから３−ヒドロキシプロピオン酸（３−ＨＰＡ）を効果的に生産できるという長所を有する。
【図面の簡単な説明】
【００１５】
【図１】（ａ）〜（e）は、本発明の実施例により製造された不均一系触媒を透過電子顕微鏡（ＪＥＭ−２１００、ＪＥＯＬ）で撮影した写真である。
【発明を実施するための形態】
【００１６】
以下、本発明のアリルアルコールから３−ヒドロキシプロピオン酸を製造するための不均一系触媒、これを用いたアリルアルコールから３−ヒドロキシプロピオン酸を製造する方法について詳細に説明する。
【００１７】
本発明は、特殊な合成条件を利用して３−ヒドロキシプロピオン酸（３−ＨＰＡ）の収率を大きく高めた、３−ヒドロキシプロピオン酸（３−ＨＰＡ）を主生城物として製造する方法に関するものである。したがって、従来に比べて顕著に高い収率で３−ヒドロキシプロピオン酸（３−ＨＰＡ）を生産することができる。
【００１８】
１．アリルアルコールから３−ヒドロキシプロピオン酸（３−ｈｙｄｒｏｘｙｐｒｏｐｉｏｎｉｃ  ａｃｉｄ：３−ＨＰＡ）を製造するための不均一系触媒
本発明で使用される用語である不均一系触媒とは、触媒に反応する物質と触媒の相が異なるものを意味し、反応後の生成物から触媒の分離が容易であるという利点がある。
【００１９】
詳しくは、本発明の前記不均一系触媒は、金前駆体（塩化合物）から金ナノ粒子を合成するステップと、前記合成された金ナノ粒子を担体に担持させるステップとを含む方法により製造することができる。本発明の一実現例では、金ナノ粒子を担体に垣持させるために、コロイド性蒸着法（Ｃｏｌｌｏｉｄａｌ  Ｄｅｐｏｓｉｔｉｏｎ  Ｍｅｔｈｏｄ）を使用した。
【００２０】
このために、本発明のアリルアルコールから３−ヒドロキシプロピオン酸（３−ｈｙｄｒｏｘｙｐｒｏｐｉｏｎｉｃ  ａｃｉｄ：３−ＨＰＡ）を製造するための不均一系触媒は、酸化セリウム（ＣｅＯ2）または酸化セリウムを含む複合酸化物である担体に７ｎｍ以下のサイズ、好ましくは４ｎｍ以下のサイズの金ナノ粒子が担持されたことを特徴とすることができる。金粒子のサイズが前記範囲を満たす場合、反応性及び選択性に優れた効果を示す。また、金粒子のサイズが小さいほど、生成物であるアクリル酸と３−ヒドロキシプロピオン酸（３−ＨＰＡ）の収率が高くなる効果を有する。特に、金粒子のサイズが４ｎｍ以下である場合、３−ヒドロキシプロピオン酸（３−ｈｙｄｒｏｘｙｐｒｏｐｉｏｎｉｃ  ａｃｉｄ：３−ＨＰＡ）の収率が５０％に達してより好ましい。
【００２１】
また、前記金は、担体の総乾燥重量に対して５重量％以下、好ましくは０．０００１〜５重量％で含まれるとよいが、金が前記含有量範囲に含まれる場合、貴金属である金の使用を最小化しつつ、反応性を極大化できるという長所を有する。
【００２２】
従来の担体としては、活性炭（Ａｃｔｉｖａｔｅｄ  ｃａｒｂｏｎ）、酸化チタン（ＴｉＯ2）、酸化アルミニウム（Ａｌ2Ｏ3）、酸化ケイ素（ＳｉＯ2）、酸化亜鉛（ＺｎＯ2）、酸化ジルコニウム（ＺｒＯ2）、酸化マンガン（ＭｎＯ2）、酸化鉄（Ｆｅ2Ｏ3）、酸化バナジウム（Ｖ2Ｏ5）、酸化スズ（ＳｎＯ2）、酸化タングステン（ＷＯ3）などを使用したが、本発明では、担体として酸化セリウム（ＣｅＯ2）または酸化セリウムを含む複合酸化物を使用することができる。
【００２３】
２．アリルアルコールから３−ヒドロキシプロピオン酸（３−ＨＰＡ）を製造する方法
本発明の３−ヒドロキシプロピオン酸（３−ＨＰＡ）を製造する方法において、前記アリルアルコールは、３−ヒドロキシプロピオン酸（３−ＨＰＡ）の製造に使用可能なものであれば、通常の購入可能なものを特別な制限無しに使用することができ、好ましくは純度６０〜９９．９％のアリルアルコールを使用することができる。
【００２４】
本発明のアリルアルコールから３−ヒドロキシプロピオン酸（３−ＨＰＡ）を製造する方法は、
ａ）酸化セリウム（ＣｅＯ2）または酸化セリウムを含む複合酸化物である担体に７ｎｍ以下のサイズの金ナノ粒子が担持された不均一系触媒を塩基性溶液及びアリルアルコールの混合溶液に投入するステップと、
ｂ）前記ステップａ）の混合溶液を、酸素分圧が絶対圧力を基準として１〜５０ｂａｒで、かつ、温度が３０〜１００℃である状態にした反応器中で１〜３０時間反応させて、３−ヒドロキシプロピオン酸（３−ＨＰＡ）を含む液相反応生成物を得るステップと、
ｃ）前記製造された液相反応生成物から３−ヒドロキシプロピオン酸（３−ＨＰＡ）を分離するステップとを含む。
【００２５】
さらに詳しくは、本発明の前記不均一系触媒は、金前駆体（塩化合物）から金ナノ粒子を合成するステップと、前記合成された金ナノ粒子を担体に担持させるステップとを含む方法により製造することができる。本発明の一実現例では、金ナノ粒子を担体に垣持させるために、コロイド性蒸着法（Ｃｏｌｌｏｉｄａｌ  Ｄｅｐｏｓｉｔｉｏｎ  Ｍｅｔｈｏｄ）を使用した。
【００２６】
このために、本発明のアリルアルコールから３−ヒドロキシプロピオン酸（３−ｈｙｄｒｏｘｙｐｒｏｐｉｏｎｉｃ  ａｃｉｄ：３−ＨＰＡ）を製造するための不均一系触媒は、酸化セリウム（ＣｅＯ2）または酸化セリウムを含む複合酸化物である担体に７ｎｍ以下のサイズ、好ましくは４ｎｍ以下のサイズの金ナノ粒子が担持されたことを特徴とすることができる。金粒子のサイズが前記範囲を満たす場合、反応性及び選択性に優れた効果を示す。また、金粒子のサイズが小さいほど、生成物であるアクリル酸と３−ヒドロキシプロピオン酸（３−ＨＰＡ）の収率が高くなる効果を有する。特に、金粒子のサイズが４ｎｍ以下である場合、３−ヒドロキシプロピオン酸（３−ｈｙｄｒｏｘｙｐｒｏｐｉｏｎｉｃ  ａｃｉｄ：３−ＨＰＡ）の収率が５０％に達してより好ましい。
【００２７】
また、前記金は、担体の総乾燥重量に対して５重量％以下、好ましくは０．０００１〜５重量％で含まれるとよいが、金が前記含有量範囲に含まれる場合、貴金属である金の使用を最小化しつつ、反応性を極大化できるという長所を有する。
【００２８】
従来の担体としては、活性炭（Ａｃｔｉｖａｔｅｄ  ｃａｒｂｏｎ）、酸化チタン（ＴｉＯ2）、酸化アルミニウム（Ａｌ2Ｏ3）、酸化ケイ素（ＳｉＯ2）、酸化亜鉛（ＺｎＯ2）、酸化ジルコニウム（ＺｒＯ2）、酸化マンガン（ＭｎＯ2）、酸化鉄（Ｆｅ2Ｏ3）、酸化バナジウム（Ｖ2Ｏ5）、酸化スズ（ＳｎＯ2）、酸化タングステン（ＷＯ3）などを使用したが、本発明では、担体として酸化セリウム（ＣｅＯ2）または酸化セリウムを含む複合酸化物を使用することができる。
【００２９】
前記ａ）ステップで投入される塩基性溶液は、アリルアルコールの酸化反応で反応を活性化させる役割を果たす。前記塩基性溶液は、アルカリ金属またはアルカリ土類金属を含む塩基性化合物を水と混合して製造することができる。より詳しくは、前記塩基性化合物は、水酸化ナトリウム、水酸化リチウム、水酸化カリウム、及び水酸化カルシウムからなる群より選ばれる１種以上を含むことができる。
【００３０】
前記塩基性溶液に含まれる塩基性化合物は、アリルアルコール１モルを基準として０．０１〜１０モル比で投入することが好ましく、２〜５モル比で投入することがより好ましい。前記塩基性化合物の投入量に応じて、アリルアルコールの転換率と、アクリル酸、３−ヒドロキシプロピオン酸（３−ＨＰＡ）、グリセリン酸の収率、及び選択度に影響を与える。
【００３１】
また、生成物のうち、アクリル酸と３−ヒドロキシプロピオン酸（３−ＨＰＡ）を含む酸形態の生成物は、塩基性化合物の添加によって塩形態（ｓａｌｔ）で生成されることができる。
【００３２】
前記ステップａ）の不均一系触媒は、回分式反応工程の場合、塩基性溶液及びアリルアルコールの混合溶液の１００重量部に対して０．１〜１０．０重量部で含まれることが好ましいが、不均一系触媒が０．１重量部未満で含まれる場合、反応物と触媒の接触が円滑でなく、反応速度が低下する問題があり、１０．０重量部超過の場合、触媒の過多な使用による費用の増加のため、経済性を確保し難い。
【００３３】
また、前記ステップ ａ）の不均一系触媒は、連続式反応工程である場合、触媒の体積により除算した前記塩基性溶液及びアリルアルコールの混合溶液の体積流量の比で表現される空間速度（ｓｐａｃｅ  ｖｅｌｏｃｉｔｙ）が０．１〜２０ｈ−１の範囲であることが好ましいが、空間速度が０．１ｈ−１未満である場合、触媒の過多な使用による費用の増加のため、経済性を確保し難く、２０ｈ-1超過である場合、反応物と接触する触媒の量が十分でなく、反応速度が低下するという問題がある。
【００３４】
前記ｂ）ステップで投入される気体は、酸素を含む気体であることを特徴とし、前記ｂ）ステップでは、内部温度を３０〜１００℃に加温し、１〜３０時間反応させて高温状態を維持するとともに、酸素を含む気体を投入することにより、酸素を反応器内に供給するとともに、溶液が反応する間、内部酸素分圧を絶対圧力を基準として１〜５０ｂａｒの高圧状態に維持させることができる。また、前記反応器内の内部温度が３０℃未満であれば、酸化反応速度が非常に遅くなり、アリルアルコールの転換率が大きく減少するという問題が生じ、１００℃を越えると、温度上昇によって副反応が大きく増加して選択度が大きく減少するという問題が生じる。反応時間は、１〜３０時間であることが好ましく、本発明の一実現例として、コロイド性蒸着法により製造されたＡｕ／ＣｅＯ2触媒を使用する場合、最適反応時間は、２４時間であることが確認できる。
【００３５】
また、前記反応器内に投入される気体は、酸素を１０体積％以上含むことができ、好ましくは酸素を２０〜１００体積％含むことができ、より好ましくは３０〜１００体積％含むことができる。前記酸素の含有量が１０体積％未満であれば、酸化反応速度が非常に遅くなるという問題がある。また、前記反応器内の酸素部分圧力が１ｂａｒ以下であれば、酸化反応が起こりにくいという問題が生じ、５０ｂａｒを越えると、圧力上昇による追加的な効果が微々たるものになる。
【００３６】
また、前記ステップｂ）で使用される反応器は、回分式反応器、半回分式反応器、連続攪拌タンク反応器（ＣＳＴＲ）、プラグフロー反応器（ＰＦＲ）、流動層反応器など、一般的に知られている反応器において全て適用可能である。
【００３７】
前記液相反応生成物は、３−ヒドロキシプロピオン酸（３−ＨＰＡ）のみ、または、アクリル酸及びグリセリン酸を含む群より選ばれた１種以上と３−ヒドロキシプロピオン酸（３−ＨＰＡ）との組み合わせを含むことを特徴とすることができる。
【００３８】
前記ステップｃ）の液相反応生成物から３−ヒドロキシプロピオン酸（３−ＨＰＡ）を分離することは、酸性化、イオン交換、抽出、結晶化、及び蒸留などの方法を利用することができる。
【００３９】
上記の製造方法によって製造された本発明の３−ヒドロキシプロピオン酸（３−ＨＰＡ）の収率は、２５％以上、より好ましくは４０％以上であるため、経済性に優れる。
【００４０】
また、本発明において、前記アリルアルコールの転換率（Ａｌｌｙｌ  Ａｌｃｏｈｏｌ  ｃｏｎｖｅｒｓｉｏｎ）は、７０％以上である特徴を有する。
【００４１】
以下、本発明の理解のために好ましい実施例を提示するが、下記の実施例は、本発明を例示するものにすぎず、本発明の範疇及び技術思想の範囲内で様々な変更及び修正が可能であることは当業者にとって自明であり、このような変更及び修正が、添付された特許請求の範囲に属することはいうまでもない。
【００４２】
＜実施例１．アリルアルコールから３−ヒドロキシプロピオン酸（３−ＨＰＡ）を製造するための不均一系触媒の製造方法＞
ＨＡｕＣｌ4・３Ｈ2Ｏ  ２．９ｍｇとＤ−（＋）−ｇｌｕｃｏｓｅ  ６６．３ｍｇを１００ｍｌ  ＤＩ  ｗａｔｅｒに分散させてから攪拌しながら、１．４５ｍｇ  ＮａＢＨ4（０．３８ｍｌ  ＤＩ  ｗａｔｅｒ）を速く注入して金粒子を合成した。担体（活性炭及び金属酸化物）を５ｍｌ  ＤＩ  ｗａｔｅｒに分散させ、これを金粒子が含まれた溶液に入れて１５分間攪拌して担持した。その後、ろ過、洗浄過程を経て乾燥し、触媒を得た。
【００４３】
＜実施例２．アリルアルコールから３−ヒドロキシプロピオン酸（３−ＨＰＡ）を製造する方法＞
前記実施例１の方法により製造された触媒１００ｍｇを、蒸溜水１７．２４ｍｌ、水酸化ナトリウム２．０７ｇ、アリルアルコール１．１７ｍｌが混合された溶液に入れて、前記溶液を５０ｍｌの体積のガラス反応器に入れた。ガラス反応器を真空状態に調節した後、３ｂａｒの酸素を含む気体で充填した。その後、ガラス反応器を５０℃で２４時間反応させた。溶液が反応する間、酸素を含む気体が３ｂａｒとなるように反応器の内部を維持させた。上記の方法により得られた液相反応生成物を、液体クロマトグラフィー（ＨＰＬＣ）によって定性及び定量分析を行った。
【００４４】
［実験例］
前記実施例２で製造された液相反応生成物に対して、液体クロマトグラフィー（ＹＬ９１００  ＨＰＬＣ、Ｙｏｕｎｇ  Ｌｉｎ  Ｉｎｓｔｒｕｍｅｎｔ  Ｃｏ．）を用いて、アクリル酸、３−ヒドロキシプロピオン酸、グリセリン酸を、ＨＰＬＣ面積％分析を通じて分析した。アリルアルコールの転換率及び３−ヒドロキシプロピオン酸（３−ＨＰＡ）の選択度、３−ヒドロキシプロピオン酸（３−ＨＰＡ）の収率を、下記の数式１〜数式３を用いて計算した。
【００４５】
【数１】
0005914615.tif 000002
【００４６】
【数２】
0005914615.tif 000003
【００４７】
３−ヒドロキシプロピオン酸（３−ＨＰＡ）の選択度の場合、アリルアルコールの転換率及び３−ヒドロキシプロピオン酸（３−ＨＰＡ）の収率データから、下記の数式３を用いて計算されてよい。
【００４８】
【数３】
0005914615.tif 000004
【００４９】
図１ａ〜図１ｅは、本発明の実施例により製造された不均一系触媒を透過電子顕微鏡（ＪＥＭ−２１００、ＪＥＯＬ）で撮影した写真である。担体として、（ａ）活性炭（Ａｃｔｉｖａｔｅｄ  ｃａｒｂｏｎ）、（ｂ）酸化アルミニウム（Ａｌ2Ｏ3）、（ｃ）酸化セリウム（ＣｅＯ2）、（ｄ）酸化鉄（Ｆｅ2Ｏ3）、（ｅ）酸化チタン（ＴｉＯ2）を用いており、金粒子のサイズは４〜５ｎｍである。
【００５０】
また、下記の表１は、担体による反応性テストであって、多様な担体による金／金属酸化物触媒の影響を示した結果である。互いに異なる担体を使用して実験を進行した結果、担体によって相違した結果を得ることができた。また、選択的酸化反応に金粒子のサイズが多くの影響を及ぼすことを考慮して、下記の表２では、金粒子のサイズを２．７ｎｍに減少させて実験を進行した。
【００５１】
【表１】
0005914615.tif 000005
【００５２】
下記の表２は、金粒子サイズの減少による担体別の反応性に関するテストであって、金粒子のサイズを２．７ｎｍに減らして反応性実験を進行した結果、全般的に液相反応生成物の収率が高くなることが確認できた。また、金粒子のサイズが異なる表１及び表２の反応性テスト結果において、全て酸化セリウム（ＣｅＯ2）を担体として使用した場合が、３−ＨＰＡに対する収率が最も高いことを確認することができ、これとともに、アクリル酸に対する収率も他の金属酸化物を担体として使用した場合より、酸化セリウム（ＣｅＯ2）を担体として使用した場合にさらに高い収率を表すことを確認することができた。
【００５３】
【表２】
0005914615.tif 000006
【００５４】
下記の表３は、アリルアルコールの酸化反応で反応を活性化する役割を果たすＮａＯＨの濃度によるＡｕ／ＣｅＯ2触媒の活性評価をして、生成物の収率にいかなる変化を与えるかを示した。その結果、担体が活性炭（Ａｃｔｉｖａｔｅｄ  ｃａｒｂｏｎ）である場合、アリルアルコール１モルを基準としてＮａＯＨを３から６のモル比に増加させる場合、３−ＨＰＡ収率が上昇したが、活性炭（Ａｃｔｉｖａｔｅｄ  ｃａｒｂｏｎ）のモル比が９になると、転換率と収率が共に減少することを確認することができた。したがって、反応条件でＮａＯＨ／アリルアルコールのモル比が６であるとき、最も優れた効率を示すことを確認し、担体が酸化セリウム（ＣｅＯ2）である場合に対する実験を進行した。Ａｕ／ＣｅＯ2である場合には、ＮａＯＨ／アリルアルコールのモル比が３であるとき、転換率と収率が共に最大値を表すことを下記の結果から確認することができた。
【００５５】
【表３】
0005914615.tif 000007
【００５６】
下記の表４は、本発明の比較例であって、触媒として活性炭及び金属酸化物担体のみを入れたときの反応性テストを示した結果である。活性炭及び金属酸化物の反応性を実験した結果、転換率と収率に相違を示し、担体として用いられる金属酸化物が触媒として一定部分影響を及ぼすことができるとは予想可能であったが、本発明の金が担体に担持された形態である場合、より顕著に低い触媒活性を示すことを確認することができた。
【００５７】
【表４】
0005914615.tif 000008
【００５８】
金ナノ粒子、金前駆体、担体のみで触媒活性をテストした結果、３−ＨＰＡの収率が顕著に減少することが観察され、金が担体に担持された形態であるときにのみ優れた触媒活性を示すことを確認することができた。また、担体の種類、ＮａＯＨ濃度、反応時間、及び温度条件に応じて３−ＨＰＡ収率に影響に及ぼすことができることを、上記の結果から確認することができた。
【００５９】
結論的に、本発明の不均一系触媒を用いて液相反応によりアリルアルコールから３−ヒドロキシプロピオン酸（３−ＨＰＡ）を高収率（２０〜８０％）で生産することができ、この場合、アリルアルコールの転換率は７０％以上で、０〜３０％のアクリル酸が同時に製造され得る。また、本発明の不均一系触媒を含むアリルアルコールの酸化反応を通じて周知のグリセロールからアリルアルコールを生成する方法、３−ＨＰＡからアクリル酸を生成する方法に対する研究結果に基づいて、本発明のアリルアルコールから３−ＨＰＡを生成する方法を利用してバイオマス基盤のグリセロール−アリルアルコール−３ＨＰＡ−アクリル酸の反応経路を完成することができる。したがって、最終生成物であるアクリル酸を商業的規模に製造することが可能で、アクリル酸製造の生産性を従来の方法に比べてはるかに向上させることができる。
【要約】      （修正有）【課題】アリルアルコールから３−ヒドロキシプロピオン酸（３−ＨＰＡ）を製造するための不均一系触媒、これを用いたアリルアルコールから３−ＨＰＡを製造する方法の提供。【解決手段】酸化セリウム（ＣｅＯ２）又は酸化セリウムを含む複合酸化物から構成される担体に担持された７ｎｍ以下のサイズの金ナノ粒子を含む不均一系触媒の存在下で液相反応を行うことでアリルアルコールから３−ヒドロキシプロピオン酸を高収率で製造する方法。【選択図】図１【図１】
0005914615.tif 000009